(57)【要約】【課題】ベースと回転テーブルとの間の間隙を容易かつ精度良く調整することができるワーク搬送テーブル装置を提供する。【解決手段】ワーク搬送テーブル装置１０は開口１１ｂを有するベース１１と、ベース１１の開口１１ｂ下端に設けられた固定軸受１３と、ベース１１上の回転テーブル１２と、回転テーブル１２に連結され固定軸受１３内に延びるテーブル駆動軸２２とを備えている。テーブル駆動軸２２は、固定軸受１３内で摺動する昇降軸受１４に第１ベアリング１５ａおよび第２ベアリング１５ｂを介して支持されている。固定軸受１３と昇降軸受１４を貫通して偏心ピン２０が設けられ、偏心ピン２０を回転することにより昇降軸受１４が昇降し、ベース１１に対して回転テーブル１２が昇降する。【選択図】図１
2006306626.tif 000002
【特許請求の範囲】
【請求項１】
開口を有するベースと、
ベースの開口下端に設けられた筒状固定軸受と、
ベース上にベースとの間に間隙を設けて回転自在に配設されるとともに、ベースに対して昇降する回転テーブルと、
回転テーブルに連結され固定軸受内に延びるテーブル駆動軸と、
固定軸受内であってテーブル駆動軸外方に昇降自在に設けられ、ベアリングを介してテーブル駆動軸を支持し、テーブル駆動軸とともに昇降する昇降軸受とを備え、
固定軸受と昇降軸受とを貫通して偏心ピンを挿着し、この偏心ピンを回転させることにより昇降軸受、テーブル駆動軸、および回転テーブルを一体としてベースおよび固定軸受に対して昇降させ、ベースと回転テーブルとの間の間隙を調整し、
固定軸受にネジ係合され、昇降軸受へ達するロックネジを設けたことを特徴とするワーク搬送テーブル装置。
【請求項２】
テーブル駆動軸は、モータ軸に対して離接自在に連結されていることを特徴とする請求項１記載のワーク搬送テーブル装置。
【発明の詳細な説明】
【技術分野】
【０００１】
本発明は電子部品等のチップ部品（ワーク）を搬送する回転テーブルを有するワーク搬送テーブル装置に関する。
【背景技術】
【０００２】
従来より、ワーク搬送用のワーク搬送テーブル装置として、開口を有するベースと、ベースの開口下端に設けられた円筒状固定軸受と、ベース上に回転自在に配置された回転テーブルと、回転テーブルに連結され固定軸受内に延びるテーブル駆動軸とを備えたものが知られている。
【０００３】
このうちテーブル駆動軸は、固定軸受内に設けられたベアリングにより回転自在に支持されている。
【０００４】
そしてテーブル駆動軸により回転テーブルが回転し、この回転テーブルによりワークが回転方向に搬送される。
【発明の開示】
【発明が解決しようとする課題】
【０００５】
上述のようにテーブル駆動軸により回転テーブルが回転し、この回転テーブルによりワークが回転方向に搬送される。
【０００６】
この場合、ワークの形状が小さい場合は、ベースと回転テーブルとの間の間隙内にワークが入り込み、回転テーブルの運転に支障が生じることがある。このような場合に対処するため、ベースと回転テーブルとの間の間隙を調整する必要がある。
【０００７】
従来はベースと回転テーブルとの間の間隙を調整する場合、ベアリングとテーブル駆動軸との間にリング状スペーサを介在させて調整していたが、スペーサを介在させて調整する際、その都度テーブル駆動軸をベースに対して取り外す必要が生じ、調整作業が煩雑となる。
【０００８】
本発明はこのような点を考慮してなされたものであり、ベースと回転テーブルとの間の間隙を容易かつ精度良く調整することができるワーク搬送テーブル装置を提供することを目的とする。
【課題を解決するための手段】
【０００９】
本発明は、開口を有するベースと、ベースの開口下端に設けられた筒状固定軸受と、ベース上に回転自在に配設された回転テーブルと、回転テーブルに連結され固定軸受内に延びるテーブル駆動軸と、固定軸受内に昇降自在に設けられ、ベアリングを介してテーブル駆動軸を支持する昇降軸受とを備え、固定軸受けと昇降軸受とを貫通して偏心ピンを挿着し、この偏心ピンを回転させることにより昇降軸受を昇降させ、ベースと回転テーブルとの間の間隙を調整することを特徴とするワーク搬送テーブル装置である。
【００１０】
本発明によれば、偏心ピンを回転させることにより固定軸受に対して昇降軸受を昇降させ、昇降軸受けにベアリングを介して支持されたテーブル駆動軸を昇降させることができる。またテーブル駆動軸を昇降させることにより、回転テーブルを昇降させて、ベースと回転テーブルとの間の間隙を調整することができる。
【発明の効果】
【００１１】
以上のように本発明によれば、偏心ピンを回転させるだけで、固定軸受に対して昇降軸受を昇降させ、これによりベースと回転テーブルとの間の間隙を調整することができる。このように偏心ピンの回転のみでベースと回転テーブルとの間の間隙を調整できるので、容易かつ精度良く上記間隙を調整することができる。
【発明を実施するための最良の形態】
【００１２】
以下、図面を参照して本発明の実施の形態について説明する。
【００１３】
図１及び図２は、本発明によるワーク搬送テーブル装置の一実施の形態を示す図である。
【００１４】
図１に示すように、ワーク搬送テーブル装置１０は開口１１ｂを有するベース１１と、ベース１１の開口１１ｂ下端に連結された円筒状固定軸受１３と、ベース１１上に回転自在に配設された回転テーブル１２と、回転テーブル１２に連結され固定軸受１３内に延びるテーブル駆動軸２２とを備えている。
【００１５】
このうち回転テーブル１２はベース１１上を回転し、ワークＷをベース１１の搬送面１１ａ上において回転方向に搬送するようになっている。
【００１６】
またテーブル駆動軸２２は、固定軸受１３内に摺動自在に設けられた昇降軸受１４により第１ベアリング１５ａ及び第２ベアリング１５ｂを介して回転自在に支持されている。
【００１７】
またテーブル駆動軸２２には、第２ベアリング１５ｂを保持するためのナット１８が固定されている。
【００１８】
昇降軸受１４は、上述のように固定軸受１３内を摺動自在に昇降し、昇降軸受１４の昇降移動により、回転テーブル１２がベース１１に対して昇降するようになっている。
【００１９】
また固定軸受１３には、固定軸受１３にネジ係合して昇降軸受１４まで延び、昇降軸受１４を固定軸受１３に対して固定するロックネジ１９が設けられている。さらに固定軸受１３と昇降軸受１４には、これら固定軸受１３と昇降軸受１４とを貫通する偏心ピン２０が設けられている。
【００２０】
次に図２（ａ）−（ｄ）により、偏心ピン２０について説明する。ここで図２（ａ）（ｂ）は偏心ピンの平面図、図２（ｃ）は偏心ピンの正面図、図２（ｄ）は偏心ピンの背面図である。偏心ピン２０は六角形ネジ孔２４が形成された基部２０ａと、基部２０ａの先端側に設けられ基部２０ａの軸芯に対して偏心する偏心部２０ｂとを有している。そして六角形ネジ孔２４内に図示しない六角形ツールを挿入して回転させることにより偏心部２０ｂが基部２０ａに対して偏心し、固定軸受１３に対して昇降軸受１４を昇降させ、ベース１１と回転テーブル１２との間の間隙を調整するようになっている。
【００２１】
ところでテーブル駆動軸２２は、その下端において制御モータ２１の駆動軸２１ａに対して離接自在に連結され、駆動軸２１ａとテーブル駆動軸２２はカップリング１６により固定されている。また、カップリング１６には、カップリング１６をテーブル駆動軸２２及び駆動軸２１ａに各々固定する固定ネジ１７が設けられている。
【００２２】
次にこのような構成から成る本実施の形態の作用について説明する。
【００２３】
まず、制御モータ２１の駆動軸２１ａが回転し、駆動軸２１の回転がカップリング１６を介してテーブル駆動軸２２に伝達される。次にテーブル駆動軸２２の回転により回転テーブル１２が回転し、回転テーブル１２によりワークＷがベース１１の搬送面１１ａ上を回転方向に搬送される。
【００２４】
次にベース１１と回転テーブル１２との間の間隙を調整する作業について述べる。まず固定軸受１３の操作口２３からドライバ（図示せず）を挿入し、このドライバにより固定ネジ１７を緩める。このようにして駆動軸２１ａに対してテーブル駆動軸２２を離接可能な状態とする。
【００２５】
次にロックネジ１９を緩めて、固定軸受１３に対して昇降軸受１４を自由状態にする。
【００２６】
その後、偏心ピン２０を六角形ツールにより回転させ、偏心部２０ｂを基部２０ａに対し軸受の軸方向にずらせて、固定軸受１３に対して昇降軸受１４を昇降させる。このようにしてベース１１と回転テーブル１２との間の間隙を調整する。
【００２７】
この場合、偏心部２０ｂは基部２０ａに対して偏心量Ｈだけ偏心しているので、ベース１１と回転テーブル１２との間の間隙を最大Ｈだけ調整することができる。なお、ベース１１と回転テーブル１２との間の間隙の調整量は、偏心ピン２０の回転角度により定まる。
【００２８】
ベース１１と回転テーブル１２との間の間隙を調整した後、ロックネジ１９を締め付けて固定軸受１３に対して昇降軸受１４を固定する。その後ドライバにより固定ネジ１７を締め付けることにより、制御モータ２１の駆動軸２１ａに対してテーブル駆動軸２２をカップリング１６を介して固定することができる。
【００２９】
以上、本実施の形態によれば、偏心ピン２０を回転させるだけで、固定軸受１３に対して昇降軸受１４を昇降させることができ、このことによりベース１１と回転テーブル１２との間の間隙を容易かつ精度良く調整することができる。
【図面の簡単な説明】
【００３０】
【図１】本発明によるワーク搬送テーブル装置の一実施例を示す側断面図。
【図２】偏心ピンを示す図。
【符号の説明】
【００３１】
１０  ワーク搬送テーブル装置
１１  ベース
１１ａ  搬送面
１１ｂ  開口
１２  回転テーブル
１３  固定軸受
１４  昇降軸受
１５ａ  第１ベアリング
１５ｂ  第２ベアリング
１６  カップリング
１７  固定ネジ
１８  ナット
１９  ロックネジ
２０  偏心ピン
２０ａ  基部
２０ｂ  偏心部
２１  制御モータ
２１ａ  駆動軸
２２  テーブル駆動軸
２３  操作口
２４  六角形ネジ孔
【図１】
2006306626.tif 000003
【図２】
2006306626.tif 000004